(57)【要約】【課題】使用寿命が従来より長く、且つ水分の凝結に対処しやすい植物栽培用容器の提供。【解決手段】透明容器（３）と、該透明容器内に収容されている培養液（９００）と、該透明容器内に収容されている植物保持手段（４）と、前記植物保持手段により保持されている植物（５）と、前記培養液との接触により前記培養液内に溶け込むことができるものであって前記透明容器内に設置されている固体栄養ブロック（６）と、を備えていることを特徴とする植物栽培用容器を提供する。【選択図】図３
0003166831.tif 000002
【実用新案登録請求の範囲】
【請求項１】
透明容器と、
前記透明容器内に収容されている培養液と、
前記透明容器内に収容されている植物保持手段と、
前記植物保持手段により保持されている植物と、
前記培養液との接触により前記培養液内に溶け込むことができるものであって前記透明容器内に設置されている固体栄養ブロックと、
を備えていることを特徴とする植物栽培用容器。
【請求項２】
前記透明容器は上方に開口したものであり、
前記開口を封止するために該開口に挿し込まれているキャップを更に有しており、
前記透明容器の内部空間は、前記培養液により充填されている下の培養液充填部と、空気により充填されている上の空気充填部と、の２部分に分けられており、
前記固体栄養ブロックは、前記空気充填部側に配置されていることを特徴とする請求項１に記載の植物栽培用容器。
【請求項３】
前記キャップは先端面が前記開口を経由して前記空気充填部に挿し込まれており、
前記固体栄養ブロックは前記先端面に貼付されていることを特徴とする請求項２に記載の植物栽培用容器。
【請求項４】
前記植物保持手段は、前記植物を保持しながら前記培養液を吸収して該植物に供給するものであって、一部が前記培養液内に浸かり他の一部が前記空気充填部に突出するように前記透明容器内に収容されていることを特徴とする請求項２または３に記載の植物栽培用容器。
【請求項５】
前記植物保持手段は、前記空気充填部に懸掛されていることを特徴とする請求項２または３に記載の植物栽培用容器。
【請求項６】
前記キャップの前記空気充填部に挿し込まれている先端面に、ネットが、その周縁が該先端面に固定されるように設置されており、
前記固体栄養ブロックは、該先端面と前記ネットとの間に保持されていることを特徴とする請求項２に記載の植物栽培用容器。
【請求項７】
前記ネットには、落ち葉を前記先端面と前記ネットとの間に取り込めるトラップ穴が形成されていることを特徴とする請求項６に記載の植物栽培用容器。
【考案の詳細な説明】
【技術分野】
【０００１】
本考案は植物栽培用容器に関し、特に、使用寿命が従来より長い植物栽培用容器に関する。
【背景技術】
【０００２】
従来の植物栽培用容器は、例えば特許文献１により開示されたものがあって、図１に示されているように、上方開口の透明容器１１に培養土（または他の固形培地）１０と植物２とを設置してから、キャップ１２で開口を封止するものである。
このような植物栽培用容器は、植物２の成長に必要な養分を培養土１０で提供するが、培養土１０に貯蔵される養分に限界があり、その養分が尽きれば植物２は生き続けられないので、該植物栽培用容器の使用寿命もそこで終了することになる。
また、植物２の成長と共に、水分が空気に排出されて透明容器１１の内壁面に凝結すると、透明容器１１が曇って植物２の鑑賞ができないようになる。
【先行技術文献】
【特許文献】
【０００３】
【特許文献１】特開２００２−１４２５６６号公報
【考案の概要】
【考案が解決しようとする課題】
【０００４】
上記問題点に鑑みて、本考案は、使用寿命が従来より長く、且つ水分の凝結に対処しやすい植物栽培用容器の提供を目的とする。
【課題を解決するための手段】
【０００５】
上記目的を達成すべく、本考案は、透明容器と、前記透明容器内に収容されている培養液と、前記透明容器内に収容されている植物保持手段と、前記植物保持手段により保持されている植物と、前記培養液との接触により前記培養液内に溶け込むことができるものであって前記透明容器内に設置されている固体栄養ブロックと、を備えていることを特徴とする植物栽培用容器を提供する。
【０００６】
上記植物栽培用容器において、前記透明容器は上方に開口したものであり、前記開口を封止するために該開口に挿し込まれているキャップを更に有しており、前記透明容器の内部空間は、前記培養液により充填されている下の培養液充填部と、空気により充填されている上の空気充填部と、の２部分に分けられており、前記固体栄養ブロックは、前記空気充填部側に配置されているように構成されることが好ましい。
【０００７】
上記植物栽培用容器において、前記キャップは先端面が前記開口を経由して前記空気充填部に挿し込まれており、前記固体栄養ブロックは前記先端面に貼付されていることが好ましい。
【０００８】
上記植物栽培用容器において、前記植物保持手段は植物を保持しながら前記培養液を吸収して該植物に供給するものであって、一部が前記培養液内に浸かり他の一部が前記空気充填部に突出するように前記透明容器内に収容されていることが好ましい。
【０００９】
上記植物栽培用容器において、前記植物保持手段は前記空気充填部に懸掛されているように構成することもできる。
【００１０】
上記植物栽培用容器において、前記キャップの前記空気充填部に挿し込まれている先端面に、ネットが、その周縁が該先端面に固定されるように設置されており、前記固体栄養ブロックは、該先端面と前記ネットとの間に保持されていることが好ましい。
【００１１】
上記植物栽培用容器において、前記ネットには、落ち葉を前記先端面と前記ネットとの間に取り込めるトラップ穴が形成されていることが好ましい。
【考案の効果】
【００１２】
上記構成により、本考案の植物栽培用容器は、透明容器を揺らして培養液を固体栄養ブロックと接触させることにより固体栄養ブロックの一部を前記培養液内に溶け込ませて培養液の含有養分を補充し、植物栽培用容器全体の使用寿命を伸ばすことができ、そして透明容器を揺らすことで培養液で透明容器の内壁面を洗って透明容器３の水分凝結によってなる曇りを解消することもできる。
【図面の簡単な説明】
【００１３】
【図１】従来の植物栽培用容器の一例が示されている断面図である。
【図２】本考案の第１の好ましい実施形態の分解図である。
【図３】本考案の第１の好ましい実施形態の側面図である。
【図４】本考案の第２の好ましい実施形態の側面図である。
【図５】本考案の第３の好ましい実施形態の側面図である。
【考案を実施するための形態】
【００１４】
以下に各図面を参照しながら、本考案の植物栽培用容器について説明する。図２、図３に本考案の第１の好ましい実施形態が示されている。図示されているように、この植物栽培用容器は、透明容器３と、該透明容器３内に収容されている培養液９００と、固体栄養ブロック６と、植物保持手段４と、を備えている。植物保持手段４に植物５が植えられている。
透明容器３は上方に開口３１０を有するように形成されたものであり、開口３１０はキャップ３２により挿し込まれていると共に封止されている。
透明容器３の内部空間は、培養液９００により充填されている下の培養液充填部３１１と、空気により充填されている上の空気充填部３１２と、の２部分に分けられている。
キャップ３２は先端面が開口３１０を経由して空気充填部３１２に挿し込まれている。
固体栄養ブロック６は、植物５の成長に必要な養分を含んだものであり、培養液９００との接触により培養液９００内に溶け込むことができるようにブロック状に作成されたものである。この実施形態において、固体栄養ブロック６は、キャップ３２の先端面に貼付されているが、この位置に限らず、空気充填部３１２側に配置されていて培養液９００と接触して培養液９００内に溶け込む可能性がある位置に配置すればよい。
【００１５】
この実施形態において、植物保持手段４は植物５を保持しながら毛細管現象を用いて培養液９００を吸収して該植物５に供給するものであって、一部が前記培養液９００内に浸かり他の一部が空気充填部３１２に突出するように透明容器３内に収容されている。
この構成により、本考案の植物栽培用容器は透明容器３を揺らして培養液９００を固体栄養ブロック６と接触させることにより固体栄養ブロック６の一部を培養液９００内に溶け込ませて培養液９００の含有養分を補充し、植物栽培用容器全体の使用寿命を伸ばすことができ、そして透明容器３を揺らすことでも培養液９００で透明容器３の内壁面３１を洗って透明容器３の水分凝結によってなる曇りを解消することができる。
【００１６】
続いて、図４に本考案の第２の好ましい実施形態が示されている。図示されているように、この第２の好ましい実施形態は第１の好ましい実施形態と構成が類似するが、以下、その相違点だけを中心に説明する。
この第２の好ましい実施形態において、植物５が植えられている植物保持手段４は、支持糸８００により空気充填部３１２に懸掛されている網状プレートであり、この第２の好ましい実施形態に使用される植物５は空気から水分や栄養分を吸い込める呼吸根５０を有するものが好ましい。
【００１７】
続いて、図５に本考案の第３の好ましい実施形態が示されており、図示されているように、この第３の好ましい実施形態は第１の好ましい実施形態と構成が類似するが、以下、その相違点を中心に説明する。
この第３の好ましい実施形態において、キャップ３２の空気充填部３１２に挿し込まれている先端面に、ネット３３が、その周縁３３１が該先端面に固定されるように設置されており、固体栄養ブロック６は、複数のボール状ブロックに作成されたものであって、該先端面とネット３３との間に保持されている。
ネット３３には、植物５の落ち葉をキャップ３２の先端面とネット３３との間に取り込めるトラップ穴３３０が形成されている。
この構成により、本考案の植物栽培用容器の第３の実施形態は、使用寿命を伸ばすことや、水分の凝結に対処することができる上、揺らすことにより、ネット３３のトラップ穴３３０で、培養液内にある植物５の落ち葉をキャップ３２とネット３３との間に取り込み、培養液９００をいつも綺麗に保持することができる。
【産業上の利用可能性】
【００１８】
上記構成により、本考案の本考案の植物栽培用容器は透明容器を揺らして培養液を固体栄養ブロックと接触させることにより固体栄養ブロックの一部を前記培養液内に溶け込ませて培養液の含有養分を補充し、使用寿命を伸ばすことができ、そして透明容器を揺らすことで培養液で透明容器の内壁面を洗って透明容器の水分凝結によってなる曇りを解消することもできる。
【符号の説明】
【００１９】
３  透明容器
３１  内壁面
３１０  開口
３１１  培養液充填部
３１２  空気充填部
３２  キャップ
３３  ネット
３３０  トラップ穴
３３１  周縁
４  植物保持手段
５  植物
５０  呼吸根
６  固体栄養ブロック
８００  支持糸
９００  培養液
【図１】
0003166831.tif 000003
【図２】
0003166831.tif 000004
【図３】
0003166831.tif 000005
【図４】
0003166831.tif 000006
【図５】
0003166831.tif 000007